(57)【要約】【課題】  駆動データビット数を増加することなしに，応答速度を改善し，かつ，フルカラー階調を表現する。【解決手段】  上基板と，下基板と，該上，下基板の間に設けられた液晶とを備える液晶表示装置を駆動する方法であって，上記液晶に第１のアナログ電圧信号を伝送して液晶をリセットさせ（４１），上記液晶に階調データに相応する第２のアナログ電圧信号を伝送して液晶を駆動させて階調を表示する（４２）ことを含み，上記第１のアナログ電圧信号は，上記第２のアナログ電圧信号の中で最も大きい絶対値と同一の絶対値を有することを特徴とする，晶表示装置の駆動方法が提供される。かかる構成により，上記の課題が解決される。【選択図】    図４
2005234545.tif 000002
【特許請求の範囲】
【請求項１】
上基板と，下基板と，該上，下基板の間に設けられた液晶とを備える液晶表示装置を駆動する方法であって：
前記液晶に第１のアナログ電圧信号を伝送して液晶をリセットさせ；
前記液晶に階調データに相応する第２のアナログ電圧信号を伝送して液晶を駆動させて階調を表示する；
ことを含み，
前記第１のアナログ電圧信号は，前記第２のアナログ電圧信号の中で最も大きい絶対値と同一の絶対値を有することを特徴とする，液晶表示装置の駆動方法。
【請求項２】
前記第１のアナログ電圧信号は，階調表示のための第２のアナログ電圧信号に依存しないリセット信号であることを特徴とする，請求項１に記載の液晶表示装置の駆動方法。
【請求項３】
前記第２のアナログ電圧信号は，前記第１のアナログ電圧信号の電圧レベルに依存しない，階調データに従って互いに異なる電圧レベルを有するデータ信号であることを特徴とする，請求項１に記載の液晶表示装置の駆動方法。
【請求項４】
上基板と，下基板と，該上，下基板の間に設けられた液晶とを備える液晶表示装置を駆動する方法であって：
前記液晶に階調データに相応する第１のアナログ電圧信号を伝送して液晶を駆動させて階調を表示し；
前記液晶に第１のアナログ電圧信号の中で最も大きい絶対値と同一の絶対値を有する第２のアナログ電圧信号を伝送して液晶をリセットさせる；
ことを含むことを特徴とする，液晶表示装置の駆動方法。
【請求項５】
前記第２のアナログ電圧信号は，階調表示のための第１のアナログ電圧信号に依存しないリセット信号であることを特徴とする，請求項４に記載の液晶表示装置の駆動方法。
【請求項６】
前記第１のアナログ電圧信号は，前記第２のアナログ電圧信号の電圧レベルに依存しない，階調データに従って互いに異なる電圧レベルを有するデータ信号であることを特徴とする，請求項４に記載の液晶表示装置の駆動方法。
【請求項７】
上基板と，下基板と，該上，下基板の間に設けられた液晶とを備え，複数の一定区間に分割される一定期間の間に前記液晶を順次駆動して所定の色を表示する液晶表示装置を駆動する方法であって：
前記一定区間毎に前記液晶に階調データに相応する第１のアナログ電圧信号を伝送して液晶を駆動させて階調を表示し；
前記液晶に第１のアナログ電圧信号の中で最も大きい絶対値と同一の絶対値を有する第２のアナログ電圧信号を伝送して液晶をリセットさせる；
ことを含み，
一定区間毎に液晶を順次駆動して各々一つの色を表示し，一定期間の間に所定の色を表示することを特徴とする，液晶表示装置の駆動方法。
【請求項８】
前記一定区間は１フレームであり，前記１フレームは，Ｒ，Ｇ，Ｂ，Ｗから選択された複数のサブフレームで構成されることを特徴とする，請求項７に記載の液晶表示装置の駆動方法。
【請求項９】
前記第２のアナログ電圧信号は，階調表示のための第１のアナログ電圧信号に依存しないリセット信号であることを特徴とする，請求項７に記載の液晶表示装置の駆動方法。
【請求項１０】
前記第１のアナログ電圧信号は，前記第２のアナログ電圧信号の電圧レベルに依存しない，階調データに従って互いに異なる電圧レベルを有するデータ信号であることを特徴とする，請求項７に記載の液晶表示装置の駆動方法。
【請求項１１】
上基板と，下基板と，該上，下基板の間に設けられた液晶とを備え，複数の一定区間に分割される一定期間の間に前記液晶を順次駆動して所定の色を表示する液晶表示装置を駆動する方法であって：
前記一定区間毎に前記液晶に第１のアナログ電圧信号を伝送して液晶をリセットし；
前記液晶に階調データに相応する第２のアナログ電圧信号を伝送して液晶を駆動させて階調を表示する；
ことを含み，
第１のアナログ電圧信号は，前記第２のアナログ電圧信号の中で最も大きい絶対値と同一の絶対値を有する信号であり，
一定区間毎に液晶を順次駆動して各々一つの色を表示し，一定期間の間に所定の色を表示することを特徴とする，液晶表示装置の駆動方法。
【請求項１２】
前記一定区間は１フレームであり，前記１フレームは，Ｒ，Ｇ，Ｂ，Ｗから選択された複数のサブフレームで構成されることを特徴とする，請求項１１に記載の液晶表示装置の駆動方法。
【請求項１３】
前記第１のアナログ電圧信号は，階調表示のための第２のアナログ電圧信号に依存しないリセット信号であることを特徴とする，請求項１１に記載の液晶表示装置の駆動方法。
【請求項１４】
前記第２のアナログ電圧信号は，前記第１のアナログ電圧信号の電圧レベルに依存しない，階調データに従って互いに異なる電圧レベルを有するデータ信号であることを特徴とする，請求項１１に記載の液晶表示装置の駆動方法。
【請求項１５】
上基板と，下基板と，該上，下基板の間に設けられた液晶とを備え，１フレームを構成する複数のサブフレーム毎に前記液晶を順次駆動して所定の色を表示する液晶表示装置を駆動する方法であって：
各サブフレームは，階調表示のための第１のスクリーン区間とリセットのための第２のスクリーン区間を含み，
各サブフレームの第１のスクリーン区間毎に，前記液晶に階調データに相応する第１のアナログ電圧信号を伝送して液晶を駆動させて階調を表示し，
第２のスクリーン区間毎に，前記液晶に第１のアナログ電圧信号の中で，最も大きい絶対値と同一の絶対値を有する第２のアナログ電圧信号を伝送して液晶をリセットさせることを含み，
サブフレーム毎に液晶を順次駆動して一つの色を表示し，１フレームの間に所定の色を表示することを特徴とする，液晶表示装置の駆動方法。
【請求項１６】
前記１フレームは，Ｒ，Ｇ，Ｂ，Ｗから選択された複数のサブフレームで構成されることを特徴とする，請求項１５に記載の液晶表示装置の駆動方法。
【請求項１７】
第２のスクリーン区間で伝送される前記第２のアナログ電圧信号は，第１のスクリーン区間で伝送される階調表示のための第１のアナログ電圧信号に依存しないリセット信号であることを特徴とする，請求項１５に記載の液晶表示装置の駆動方法。
【請求項１８】
前記第１のスクリーン区間で伝送される前記第１のアナログ電圧信号は，前記第２のスクリーン区間で伝送される前記第２のアナログ電圧信号の電圧レベルに依存しない，階調データに従って互いに異なる電圧レベルを有するデータ信号であることを特徴とする，請求項１５に記載の液晶表示装置の駆動方法。
【請求項１９】
上基板と，下基板と，該上，下基板の間に設けられた液晶とを備え，１フレームを構成する複数のサブフレーム毎に前記液晶を順次駆動して所定の色を表示する液晶表示装置を駆動する方法であって：
各サブフレームは，リセットのための第１のスクリーン区間と階調表示のための第２のスクリーン区間を含み，
各サブフレームの第１のスクリーン区間毎に，前記液晶に第１のアナログ電圧信号を伝送して液晶をリセットさせ，
前記第２のスクリーン区間毎に前記液晶に階調データに相応する第２のアナログ電圧を伝送して液晶を駆動させて階調を表示することを含み，
第１のアナログ電圧信号は，第２のアナログ電圧信号の中で最も大きい絶対値と同一の絶対値を有する信号であり，
サブフレーム毎に液晶を順次駆動して一つの色を表示し，１フレームの間に所定の色を表示することを特徴とする，液晶表示装置の駆動方法。
【請求項２０】
前記１フレームは，Ｒ，Ｇ，Ｂ，Ｗから選択された複数のサブフレームで構成されることを特徴とする，請求項１９に記載の液晶表示装置の駆動方法。
【請求項２１】
前記第１のスクリーン区間で伝送される前記第１のアナログ電圧信号は，第２のスクリーン区間で伝送される階調表示のための第２のアナログ電圧信号に依存しないリセット信号であることを特徴とする，請求項１９に記載の液晶表示装置の駆動方法。
【請求項２２】
前記第２のスクリーン区間で伝送される前記第２のアナログ電圧信号は，第１のスクリーン区間で伝送される前記第１のアナログ電圧信号の電圧レベルに依存しない，階調データに従って互いに異なる電圧レベルを有するデータ信号であることを特徴とする，請求項１９に記載の液晶表示装置の駆動方法。
【発明の詳細な説明】
【技術分野】
【０００１】
本発明は，パルス順次駆動方式の液晶表示装置にかかり，さらに詳細には，応答速度を改善したアナログ駆動方式の液晶表示装置の駆動方法（Ｄｒｉｖｉｎｇ  ｍｅｔｈｏｄ  ｏｆ  ＦＳ−ＬＣＤ）に関する。
【背景技術】
【０００２】
一般的に，カラー液晶表示装置は，上，下部基板と，上，下基板間に注入された液晶からなる液晶パネルと，液晶パネルを駆動させるための駆動回路と，液晶に白色光を供給するためのバックライトとを備える。このような液晶表示装置は，駆動方式によってカラーフィルタ方式とカラーフィールド順次駆動方式に大きく分けることができる。
【０００３】
フィールド順次駆動方式の液晶表示装置は，Ｒ，Ｇ，Ｂの単位画素には分割されず，一つの画素にＲ，Ｇ，Ｂのバックライトが配列される構造となっており，一つの画素に設けられたＲ，Ｇ，ＢのバックライトそれぞれからＲ，Ｇ，Ｂの三原色の光を時分割で順にディスプレイし，目の残像効果を用いてカラーイメージをディスプレイする。
【０００４】
カラーフィールド順次駆動方式の液晶表示装置は，表示しようとする階調数に対応した複数の基準電圧が設定され，該複数の基準電圧の中から階調表示データに相応する一つの基準電圧を，アナログスイッチを用いて選択し，選択された基準電圧で液晶パネルを駆動して印加電圧に対応する透過光量で階調表示を行う。
【０００５】
図１は，従来のアナログ方式において液晶表示装置を駆動する方法を説明するための図である。ここでは，液晶の駆動電圧を可変させて階調表示を実行する液晶表示装置の駆動方法を説明するため，波形図を示す。図１には，液晶に印加される駆動電圧とそれによって液晶を透過する光量に関する波形が示されている。
【０００６】
図１を参照すると，時間ｔ１からｔ３までの期間（Ｔ１）でＶ１１レベルの駆動電圧が液晶に印加され，Ｖ１１レベルの駆動電圧に相応する光が液晶を透過する。次に，時間ｔ４からｔ６までの期間（Ｔ２）においてＶ１１レベルよりも大きいＶ１２レベルの駆動電圧が印加され，Ｖ１２レベルの駆動電圧に相応する光透過量が得られる。続いて，時間ｔ７からｔ９までの期間（Ｔ３）においてＶ１１およびＶ１２レベルよりも大きいＶ１３レベルの駆動電圧が印加され，Ｖ１３レベルの駆動電圧に相応する光透過量が得られる。
【０００７】
このとき，実際にＲ色が表示されるのは，ＲバックライトであるＲ発光ダイオードが発光する時間ｔ２からｔ３までの期間（Ｔｒ）であり，Ｇ色が表示されるのはＧバックライトであるＧ発光ダイオードが発光する時間ｔ５からｔ６までの期間（Ｔｇ）であり，Ｂ色が表示されるのはＢバックライトであるＢ発光ダイオードが発光する時間ｔ８からｔ９までの期間（Ｔｂ）である。
【０００８】
このような駆動電圧の可変方式によるアナログ駆動方法は，液晶の下降時間（ｆａｌｌｉｎｇ  ｔｉｍｅ）が遅く液晶の応答速度が遅延していた。また，このように液晶の応答速度が遅延することによって動画像を具現できなくなる問題点があった。
【０００９】
上記のような問題を解決するために，デジタル制御による階調を表示する方法が特許文献１，特許文献２，および特許文献３に開示されている。
【００１０】
デジタル階調表示方法の一つの方法は，階調に対応する電圧印加時間をルックアップテーブル（ｌｏｏｋ−ｕｐ  ｔａｂｌｅ）化し，階調データに相応する電圧印加時間を上記ルックアップテーブルから読出し，読出された電圧印加時間の間に一定の電圧を液晶に印加して階調表示を行う方法である。上記の方法は，液晶に印加される駆動電圧を一定にして，電圧印加時間を制御して階調表示を実行する。従って，駆動電圧を一定に維持したまま電圧印加状態および電圧非印加状態をタイミング的に制御することによって，階調レベルによる液晶の応答速度を改善することができる。
【００１１】
他のデジタル制御による階調表示方法としては，階調に対応する印加パターンをルックアップテーブル（ｌｏｏｋ−ｕｐ  ｔａｂｌｅ）化し，階調データに相応する印加パターンをルックアップテーブルから読出し，発光ダイオードの単位発光期間内で，読出された印加パターンによって一定レベルの駆動電圧を液晶に印加して階調表示を行う。この方法は，発光ダイオードの単位発光期間内で印加パターンを変化させて電圧印加状態および電圧非印加状態をタイミング的に制御している。従って，電圧印加時間によって階調表示を実行するので，液晶の応答速度を改善することができる。
【００１２】
もう一つの他のデジタル制御による階調表示方式としては，液晶に駆動電圧が印加される際に液晶を透過する光量波形と，発光ダイオードの発光期間で積分した面積とを各階調に対応させ，この面積を変化させて階調表示を行う等がある。
【００１３】
上述したような透過光量の積分方式は，透過光量をＬＥＤ発光期間で積分した面積を考えた電圧印加時間を設定することによって，階調表示に適した微細階調表示が可能であり，また，透過光量波形の上昇および下降が急激に行われるので液晶の応答速度も改善される。
【００１４】
図２は，従来のデジタル駆動方式に係る液晶表示装置の駆動方法を説明するための波形図である。かかる図２は，所定ビットの駆動データによる駆動電圧の波形と，それによって液晶の透過する光量の波形とを示したものである。
【００１５】
図２を参照すると，各階調に相応する駆動データが所定ビット，例えば７ビットのデジタル信号として伝送され，７ビットの駆動データによる駆動電圧が液晶に印加される。印加された駆動電圧により液晶の透過量が決定されて階調表示を実行する。
【００１６】
しかしながら，上述したような従来のデジタル駆動方式では，高速に応答し，かつ，フルカラーの階調を表示するのためには駆動データのビット数を増加する必要がある。一方，フィールド順次駆動方式の液晶表示装置は，Ｒ，Ｇ，Ｂの発光ダイオードを時分割して順に駆動するため，一般的な液晶表示装置と比較して高い駆動周波数を必要とする。従って，高速応答かつフルカラー階調表示するために駆動データのビット数を増加させると，駆動周波数をさらに上げる必要が生じる。
【００１７】
このように駆動周波数を上げると，ゲート駆動電圧と共通電源電圧（Ｖｃｏｍ）などの歪曲によって画質が劣化するという問題点が生じていた。また，高周波数の駆動周波数で液晶を高速駆動させることによって，消費電力が増加するという問題点もあった。それと共に，従来のデジタル駆動方式は，現在表示しようとする階調が直前に表示された階調に応じて実効値応答が異なるために，正確な階調表示ができないという問題点もあった。特に中間階調を表示しようとする場合，直前に表示された階調が現在表示しようとする階調に及ぼす影響は大きかった。
【００１８】
このように直前に表示された階調によって実効値応答が異なってしまうデジタル駆動方式の問題点を解決するために，リセットパルスを用いたデジタル階調表示方法が特許文献４に開示されている。
【００１９】
図３は，従来のリセットパルスを用いたデジタル階調表示方法を説明するための波形図である。図３を参照すると，複数の区間（Ｔ３１〜Ｔ３６）は，それぞれがＲ，Ｇ，Ｂバックライトに対するＲ，Ｇ，Ｂ発光ダイオードが駆動され，Ｒ，Ｇ，Ｂの色に対する階調表示が行われる区間である。
【００２０】
区間（Ｔ３１）で，Ｒ階調データによる所定の電圧（ＶＬＣ）が液晶に印加され，印加された電圧により液晶が光を透過するため，Ｒ発光ダイオード（ＲＬＥＤ）が発光する区間でＲ光が表示される。区間（Ｔ３２）でＧ階調データによる所定の電圧（ＶＬＣ）が液晶に印加され，印加された電圧により液晶が光を透過するため，Ｇ発光ダイオード（ＧＬＥＤ）が発光する区間でＧ光が表示される。一方，区間（Ｔ３３）では，Ｂ階調データによる所定の電圧（ＶＬＣ）が液晶に印加され，印加された電圧により液晶が光を透過するため，Ｂ発光ダイオード（ＢＬＥＤ）が発光する区間でＢ光が表示される。従って，所定の階調を有する色が表示される。
【００２１】
上述したようなデジタル駆動方式は，各区間（Ｔ３１〜Ｔ３６）が終了する地点の所定時間（ｔ３１〜ｔ３６）の間に，階調データとは絶対値が異なり，かつ，階調データとは関係のない所定の電圧を印加する。このようにして，各区間（Ｔ３１〜Ｔ３６）で所定の階調を有するＲ，Ｇ，Ｂの色を表示した後，各区間の終了地点で階調データとは関係ない電圧を供給し，如何なる光も透過させないようにする。従って，各区間（Ｔ３１〜Ｔ３６）において，階調データによる印加電圧によって液晶が駆動する際に，以前の区間における透過度および液晶の状態の影響が現在の区間に及ぼされることがなくなり，液晶の応答速度が改善される。このとき，各区間（Ｔ３１〜Ｔ３６）の終了地点で印加される信号をリセットパルスと言い，リセットパルスは液晶の応答速度を改善させる。
【００２２】
従って，上述のようなリセットパルスを用いたデジタル階調表示方式は，液晶の応答速度を改善して動画像を具現できると言うメリットがある。しかしながら，上記デジタル階調表示方法は，駆動データビットの中の一定のビットをリセットパルスに割り当てなければならないため，駆動データのビット数が通常のデジタル駆動方式に比べて増加することになる。駆動データのビット数の増加は，上述した駆動周波数の増加や消費電力の増加，または，ゲート電圧と共通電圧との歪曲による画質の劣化問題を依然として解決してはいない。
【００２３】
また，デジタル方式で液晶表示装置を駆動する場合に，臨界値以上のゲートパルスの幅を維持しなければならないことから，高速駆動が制限されるだけでなく，フリッカ防止のためフレーム周波数を増加させることにも限界があった。従って，画質を改善させるための反転駆動方式を適用させることが困難なためにクロストーク，フリッカなどが発生するという問題点も生じていた。
【００２４】
【特許文献１】特開２００３−９８５０５号明細書
【特許文献２】特開２００３−９９０１５号明細書
【特許文献３】特開２００３−１０７４２５号明細書
【特許文献４】米国特許第６，５６７，０６３号明細書
【発明の開示】
【発明が解決しようとする課題】
【００２５】
本発明は，従来の技術が有する上記問題点に鑑みてなされたものであり，本発明の目的は，駆動データビット数を増加することなしに，応答速度を改善し，かつ，フルカラー階調を表現可能な，新規かつ改良された液晶表示装置の駆動方法を提供することである。
【００２６】
また，本発明の他の目的は，駆動周波数を減少することによって電圧の歪曲を防ぎ，消費電力を減少させることが可能な，液晶表示装置の駆動方法を提供することにある。
【課題を解決するための手段】
【００２７】
上記課題を解決するために，本発明のある観点によれば，上基板と，下基板と，該上，下基板の間に設けられた液晶とを備える液晶表示装置を駆動する方法であって：上記液晶に第１のアナログ電圧信号を伝送して液晶をリセットさせ；上記液晶に階調データに相応する第２のアナログ電圧信号を伝送して液晶を駆動させて階調を表示する；ことを含み，上記第１のアナログ電圧信号は，上記第２のアナログ電圧信号の中で最も大きい絶対値と同一の絶対値を有することを特徴とする，晶表示装置の駆動方法が提供される。
【００２８】
上記第１のアナログ電圧信号は，階調表示のための第２のアナログ電圧信号に依存しないリセット信号であるとしても良い。
【００２９】
上記第２のアナログ電圧信号は，上記第１のアナログ電圧信号の電圧レベルに依存しない，階調データに従って互いに異なる電圧レベルを有するデータ信号であるとしても良い。
【００３０】
また，上記リセット信号とデータ信号とのタイミングを変更した発明として，上基板と，下基板と，該上，下基板の間に設けられた液晶とを備える液晶表示装置を駆動する方法であって：上記液晶に階調データに相応する第１のアナログ電圧信号を伝送して液晶を駆動させて階調を表示し；上記液晶に第１のアナログ電圧信号の中で最も大きい絶対値と同一の絶対値を有する第２のアナログ電圧信号を伝送して液晶をリセットさせる；ことを含むことを特徴とする，液晶表示装置の駆動方法が提供される。
【００３１】
上記第２のアナログ電圧信号は，階調表示のための第１のアナログ電圧信号に依存しないリセット信号であるとしても良い。
【００３２】
上記第１のアナログ電圧信号は，上記第２のアナログ電圧信号の電圧レベルに依存しない，階調データに従って互いに異なる電圧レベルを有するデータ信号であるとしても良い。
【００３３】
上記課題を解決するために，本発明の他の観点によれば，上基板と，下基板と，該上，下基板の間に設けられた液晶とを備え，複数の一定区間に分割される一定期間の間に上記液晶を順次駆動して所定の色を表示する液晶表示装置を駆動する方法であって：上記一定区間毎に上記液晶に階調データに相応する第１のアナログ電圧信号を伝送して液晶を駆動させて階調を表示し；上記液晶に第１のアナログ電圧信号の中で最も大きい絶対値と同一の絶対値を有する第２のアナログ電圧信号を伝送して液晶をリセットさせる；ことを含み，一定区間毎に液晶を順次駆動して各々一つの色を表示し，一定期間の間に所定の色を表示することを特徴とする，液晶表示装置の駆動方法が提供される。
【００３４】
上記一定区間は１フレームであり，上記１フレームは，Ｒ，Ｇ，Ｂ，Ｗから選択された複数のサブフレームで構成されるとしても良い。
【００３５】
上記第２のアナログ電圧信号は，階調表示のための第１のアナログ電圧信号に依存しないリセット信号であるとしても良い。
【００３６】
上記第１のアナログ電圧信号は，上記第２のアナログ電圧信号の電圧レベルに依存しない，階調データに従って互いに異なる電圧レベルを有するデータ信号であるとしても良い。
【００３７】
また，上記リセット信号とデータ信号とのタイミングを変更した発明として，上基板と，下基板と，該上，下基板の間に設けられた液晶とを備え，複数の一定区間に分割される一定期間の間に上記液晶を順次駆動して所定の色を表示する液晶表示装置を駆動する方法であって：上記一定区間毎に上記液晶に第１のアナログ電圧信号を伝送して液晶をリセットし；上記液晶に階調データに相応する第２のアナログ電圧信号を伝送して液晶を駆動させて階調を表示する；ことを含み，第１のアナログ電圧信号は，上記第２のアナログ電圧信号の中で最も大きい絶対値と同一の絶対値を有する信号であり，一定区間毎に液晶を順次駆動して各々一つの色を表示し，一定期間の間に所定の色を表示することを特徴とする，液晶表示装置の駆動方法が提供される。
【００３８】
上記一定区間は１フレームであり，上記１フレームは，Ｒ，Ｇ，Ｂ，Ｗから選択された複数のサブフレームで構成されるとしても良い。
【００３９】
上記第１のアナログ電圧信号は，階調表示のための第２のアナログ電圧信号に依存しないリセット信号であるとしても良い。
【００４０】
上記第２のアナログ電圧信号は，上記第１のアナログ電圧信号の電圧レベルに依存しない，階調データに従って互いに異なる電圧レベルを有するデータ信号であるとしても良い。
【００４１】
上記課題を解決するために，本発明の他の観点によれば，上基板と，下基板と，該上，下基板の間に設けられた液晶とを備え，１フレームを構成する複数のサブフレーム毎に上記液晶を順次駆動して所定の色を表示する液晶表示装置を駆動する方法であって：各サブフレームは，階調表示のための第１のスクリーン区間とリセットのための第２のスクリーン区間を含み，各サブフレームの第１のスクリーン区間毎に，上記液晶に階調データに相応する第１のアナログ電圧信号を伝送して液晶を駆動させて階調を表示し，第２のスクリーン区間毎に，上記液晶に第１のアナログ電圧信号の中で，最も大きい絶対値と同一の絶対値を有する第２のアナログ電圧信号を伝送して液晶をリセットさせることを含み，サブフレーム毎に液晶を順次駆動して一つの色を表示し，１フレームの間に所定の色を表示することを特徴とする，液晶表示装置の駆動方法が提供される。
【００４２】
上記１フレームは，Ｒ，Ｇ，Ｂ，Ｗから選択された複数のサブフレームで構成されるとしても良い。
【００４３】
第２のスクリーン区間で伝送される上記第２のアナログ電圧信号は，第１のスクリーン区間で伝送される階調表示のための第１のアナログ電圧信号に依存しないリセット信号であるとしても良い。
【００４４】
上記第１のスクリーン区間で伝送される上記第１のアナログ電圧信号は，上記第２のスクリーン区間で伝送される上記第２のアナログ電圧信号の電圧レベルに依存しない，階調データに従って互いに異なる電圧レベルを有するデータ信号であるとしても良い。
【００４５】
また，上記リセット信号とデータ信号とのタイミングを変更した発明として，上基板と，下基板と，該上，下基板の間に設けられた液晶とを備え，１フレームを構成する複数のサブフレーム毎に上記液晶を順次駆動して所定の色を表示する液晶表示装置を駆動する方法であって：各サブフレームは，リセットのための第１のスクリーン区間と階調表示のための第２のスクリーン区間を含み，各サブフレームの第１のスクリーン区間毎に，上記液晶に第１のアナログ電圧信号を伝送して液晶をリセットさせ，上記第２のスクリーン区間毎に上記液晶に階調データに相応する第２のアナログ電圧を伝送して液晶を駆動させて階調を表示することを含み，第１のアナログ電圧信号は，第２のアナログ電圧信号の中で最も大きい絶対値と同一の絶対値を有する信号であり，サブフレーム毎に液晶を順次駆動して一つの色を表示し，１フレームの間に所定の色を表示することを特徴とする，液晶表示装置の駆動方法が提供される。
【００４６】
上記１フレームは，Ｒ，Ｇ，Ｂ，Ｗから選択された複数のサブフレームで構成されるとしても良い。
【００４７】
上記第１のスクリーン区間で伝送される上記第１のアナログ電圧信号は，第２のスクリーン区間で伝送される階調表示のための第２のアナログ電圧信号に依存しないリセット信号であるとしても良い。
【００４８】
上記第２のスクリーン区間で伝送される上記第２のアナログ電圧信号は，第１のスクリーン区間で伝送される上記第１のアナログ電圧信号の電圧レベルに依存しない，階調データに従って互いに異なる電圧レベルを有するデータ信号であるとしても良い。
【発明の効果】
【００４９】
以上説明したように本発明によれば，アナログ方式としてＲ，Ｇ，Ｂのデータによる階調の表現の際，以前のサブフレームが駆動された後，現在のサブフレームで階調表示を実行する前に，アナログ電圧を供給して液晶をリセットすることにより，液晶の応答速度を向上することができる。また，駆動データのビット数を増やすことなくフルカラー階調を容易に実現可能あると共に，消費電力を減少させ，駆動周波数による信号歪曲も防ぐことができる。
【発明を実施するための最良の形態】
【００５０】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００５１】
図４は，本発明の実施の形態に係る液晶表示装置の駆動方法を説明するための駆動信号の波形図である。
【００５２】
図４を参照すると，本発明の実施の形態における１フレームは，Ｒ，Ｇ，Ｂのサブフレーム（ＲＳＦ），（ＧＳＦ），（ＢＳＦ）に分割され，Ｒ，Ｇ，Ｂのサブフレーム（ＲＳＦ），（ＧＳＦ），（ＢＳＦ）は二つの区間に分割される。
【００５３】
すなわち，Ｒ，Ｇ，Ｂのサブフレーム（ＲＳＦ），（ＧＳＦ），（ＢＳＦ）は，第１のスクリーン区間（ＳＰ１）と第２のスクリーン区間（ＳＰ２）に分割される。上記第１のスクリーン区間（ＳＰ１）は，リセット用のアナログ電圧信号４１が印加されて液晶をブラック状態に復帰させ，如何なる光も透過させない。また，第２のスクリーン区間（ＳＰ２）は，従来のアナログ方式のように，表示しようとする階調データによって互いに異なる電圧レベルを有するアナログ電圧信号４２を伝送する。
【００５４】
即ち，上記リセットパルス４１の電圧レベル（ＶＲ）は，以前の階調データの電圧レベルとは関係ない，上記階調データとは異なる電圧レベル（ＶＲ）を有し，かつ，データ電圧４２の電圧レベル（Ｖ１），（Ｖ２），（Ｖ３），（ＶＲ）の中で，最も大きい絶対値を有する電圧レベル（ＶＲ）と同じ大きさの電圧レベルを有する。図４を参照すると，Ｒ，Ｇ，Ｂのサブフレームに係る第２のスクリーン区間（ＳＦ２）の間にそれぞれの電圧レベル（Ｖ１），（Ｖ２），（Ｖ３），（ＶＲ）を有する階調表示用データ電圧４２が供給されるものとして示しているが，階調表示用のデータ電圧４２の電圧レベルは，表示しようとする階調数によって決定され，リセット信号は第２のスクリーン区間（ＳＰ２）に供給される階調表示用データ電圧４２の電圧レベルの中で，最も大きい絶対値を有する電圧レベルと同一電圧レベルを有するものとする。
【００５５】
Ｒ，Ｇ，Ｂのサブフレーム（ＲＳＦ），（ＧＳＦ），（ＢＳＦ）をそれぞれ第１および第２のスクリーン区間（ＳＰ１），（ＳＰ２）に分割して液晶を駆動する方法を，図４を参照しながら説明する。
【００５６】
Ｒ，Ｇ，Ｂのサブフレーム（ＲＳＦ），（ＧＳＦ），（ＢＳＦ）で，それぞれのＲ，Ｇ，Ｂバックライト用のＲ，Ｇ，Ｂ発光ダイオードを駆動させ，Ｒ，Ｇ，Ｂの色に対する階調表示を実行して１フレームの間に所定の色を表示する。
【００５７】
即ち，Ｒサブフレーム（ＲＳＦ）において，第１のスクリーン区間（ＳＦ１）ではＲ階調データとは関係ない所定のレベル（ＶＲ）を有するアナログ電圧信号４１を液晶に伝送する。このとき，液晶は，上記アナログ電圧信号４１によって元の状態に復帰され，ブラック状態となる。続いて，第２のスクリーン区間（ＳＦ２）ではＲ階調データによる電圧レベル（ＶＲ）を有するアナログ電圧信号４２が液晶に印加され，印加された電圧によって液晶が光を透過し，Ｒ発光ダイオード（ＲＬＥＤ）が発光する区間でＲ光が表示される。このＲ階調を表示する際，以前のＢサブフレーム（ＢＳＦ）でＢ階調データによって駆動された液晶は，リセット用のアナログ電圧信号４１によりリセットされるので，Ｒサブフレーム（ＲＳＦ）ではＢ階調データに影響を受けずにＲ階調だけを純粋に表示する。
【００５８】
次に，Ｇサブフレーム（ＧＳＦ）において，第１のスクリーン区間（ＳＦ１）ではＢ階調データとは関係ない所定のレベル（ＶＲ）を有するアナログ電圧信号４１を液晶に伝送する。このとき，液晶は，上記アナログ電圧信号４１によって元の状態に復帰され，ブラック状態となる。続いて，第２のスクリーン区間（ＳＦ２）ではＧ階調データによる電圧レベル（Ｖ２）を有するアナログ電圧信号４２が液晶に印加され，印加された電圧によって液晶が光を透過し，Ｇ発光ダイオード（ＧＬＥＤ）が発光する区間でＧ光が表示される。このＧ階調を表示する際，以前のＲサブフレーム（ＲＳＦ）で，階調データによって駆動された液晶は，リセット用のアナログ電圧信号４１によりリセットされるので，Ｇサブフレーム（ＧＳＦ）ではＲ階調データに影響を受けずにＧ階調だけを純粋に表示する。
【００５９】
最後に，Ｂサブフレーム（ＢＳＦ）において，第１のスクリーン区間（ＳＦ１）ではＧ階調データとは関係ない所定のレベル（ＶＲ）を有するアナログ電圧信号４１を液晶に伝送する。このとき，液晶は，上記アナログ電圧信号４１によって元の状態に復帰され，ブラック状態となる。続いて，第２のスクリーン区間（ＳＦ２）ではＢ階調データによる電圧レベル（Ｖ１）を有するアナログ電圧信号４２が液晶に印加され，印加された電圧によって液晶が光を透過し，Ｂ発光ダイオード（ＢＬＥＤ）が発光する区間でＢ光が表示される。このＢ階調を表示する際，以前のＧサブフレーム（ＧＳＦ）で，階調データによって駆動された液晶は，リセット用のアナログ電圧信号４１によりリセットされるので，Ｂサブフレーム（ＧＳＦ）ではＧ階調データに影響を受けず，Ｂ階調だけを純粋に表示する。
【００６０】
上述したようなリセット信号を用いたアナログ駆動方式は，各Ｒ，Ｇ，Ｂのサブフレーム（ＲＳＦ），（ＧＳＦ），（ＢＳＦ）がスタートする区間，即ち，第１のスクリーン区間（ＳＦ１）に，階調データに関係のない所定のアナログ電圧を印加する。階調データを表示するための第２のスクリーン区間（ＳＦ２）の前に階調データとは関係ない上記のアナログ電圧を供給することによって，如何なる光も透過されないように液晶をリセットさせる。従って，各第２のスクリーン区間（ＳＦ２）において階調データに応じた印加電圧によって液晶が駆動される場合，以前のサブフレームでの液晶の状態と関係なく，現在のサブフレームで所定の階調を有するＲ，Ｇ，Ｂの色を表示する。このようにして，液晶の応答速度を改善することができる。
【００６１】
本発明の実施の形態では，Ｒ，Ｇ，Ｂのサブフレーム（ＲＳＦ），（ＧＳＦ），（ＢＳＦ）を，それぞれ，液晶をリセットさせるための第１のスクリーン区間（ＳＦ１）と，Ｒ，Ｇ，Ｂの階調表示をするための第２のスクリーン区間（ＳＦ２）とに分割して，以前のサブフレームの階調データによって駆動された液晶をリセットさせた後，現在のサブフレームでの階調データを表示した。
【００６２】
また，他の実施の形態として，Ｒ，Ｇ，Ｂのサブフレーム（ＲＳＦ），（ＧＳＦ），（ＢＳＦ）を，それぞれ，Ｒ，Ｇ，Ｂの階調表示をするための第１のスクリーン区間（ＳＦ１）と，液晶をリセットさせるための第２のスクリーン区間（ＳＦ２）とに分割して，現在のサブフレームでの各階調データによる階調表示を実行した後，現在のサブフレームで駆動された液晶をリセットさせることによって，現在のサブフレームで駆動された液晶が次のサブフレームに影響を及ぼさないようにすることもできる。即ち，リセット信号とデータ信号とのタイミングを逆転させ，データ信号を印加した後にリセット信号を印加する構成も可能である。
【００６３】
従来のデジタル駆動方式は，６４階調を表示しようとする場合，リセットパルスに各２ビットを割り当てており，６４階調表示をするためのデータパルスに対して６ビットのリセットパルスを割り当てられなければならない。従って，６４階調表示のために８ビットのデータが要求される。
【００６４】
しかしながら，本実施形態では液晶を元に復帰させるための第１のスクリーン区間（ＳＰ１）には，液晶のリセット用のアナログ電圧信号４１を伝送し，階調表示をするための第２のスクリーン区間（ＳＰ２）には液晶駆動用のアナログ電圧信号４２を伝送しているので，従来のデジタル方式に比べて駆動周波数を１／８以下に減少させることができる。また，階調表示をするための液晶駆動の前に，液晶をリセットすることによって，液晶の応答速度を改善できるだけではなく，以前に表示された階調によって実効値応答が変化する問題点を改善することができる。
【００６５】
本発明の実施の形態では，１フレームがＲ，Ｇ，Ｂのサブフレーム（ＲＳＦ），（ＧＳＦ），（ＢＳＦ）の三つのサブフレームで構成されることを例示したが，１フレームがＲ，Ｇ，Ｂのサブフレーム以外にＷ（ｗｈｉｔｅ）色を具現するためのＷサブフレームが構成されるとしても良い。また，少なくとも三つ以上のサブフレームで構成されて同一色を具現するためのサブフレームを２回以上実行することもできる。
【００６６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６７】
本発明は，パルス順次駆動方式の液晶表示装置にかかり，さらに詳細には，応答速度を改善したアナログ駆動方式の液晶表示装置の駆動方法に適用可能である。
【図面の簡単な説明】
【００６８】
【図１】従来のアナログ方式に係る液晶表示装置の駆動方法を説明するための波形図である。
【図２】従来のデジタル方式に係る液晶表示装置の駆動方法を説明するための波形図である。
【図３】従来のリセットパルスを用いたデジタル駆動方式に係る液晶表示装置の駆動方法を説明するための波形図である。
【図４】本発明の実施の形態に係るリセットパルスを用いた液晶表示装置の駆動方法を説明するための波形図である。
【符号の説明】
【００６９】
ＲＳＦ  Ｒサブフレーム
ＧＳＦ  Ｇサブフレーム
ＢＳＦ  Ｂサブフレーム
ｓｐ１  第１スクリーン
ｓｐ２  第２スクリーン
【図１】
2005234545.tif 000003
【図２】
2005234545.tif 000004
【図３】
2005234545.tif 000005
【図４】
2005234545.tif 000006